(57)【要約】【課題】装置の取り外しや分解が容易であって、設置箇所を変えて繰り返し再使用することが可能な鳥類等防除装置を提供する。【解決手段】鳥類等防除装置1Aは、電気絶縁材によって形成され、かつ設置箇所61に間隔をおいて配置される複数の取付ベース2と、金属管30によって形成され、互いに一定の間隔をおいて並ぶように複数の取付ベースに掛け渡され、かつ一方に電圧が印加されるとともに他方が接地される１対の電極3と、各取付ベースを設置箇所に着脱自在に取り付けるための着脱式取付手段（磁石）4Aとを備えている。【選択図】図１
0003210518.tif 000002
【実用新案登録請求の範囲】
【請求項１】
電気絶縁材によって形成され、かつ設置箇所に間隔をおいて配置される複数の取付ベースと、金属管によって形成され、互いに一定の間隔をおいて並ぶように複数の取付ベースに掛け渡され、かつ一方に電圧が印加されるとともに他方が接地される１対の電極と、各取付ベースを設置箇所に着脱自在に取り付けるための着脱式取付手段とを備えている、鳥類等防除装置。
【請求項２】
着脱式取付手段が、片面が取付ベースの底部に固定され、かつ他面が強磁性金属製の設置箇所に吸着される磁石よりなる、請求項１記載の鳥類等防除装置。
【請求項３】
着脱式取付手段が、外面の一部が取付ベースの底部に固定され、かつ設置箇所に締付固定されるクランプよりなる、請求項１記載の鳥類等防除装置。
【請求項４】
着脱式取付手段が、取付ベースの底部に固定される頂壁部、および頂壁部の両端から下方にのびかつパイプ状の設置箇所の上部にまたがって載せられる1対の脚部を有し、各脚部にバンド挿通孔が形成されている逆Ｕ形の支持金具と、支持金具の両脚部のバンド挿通孔に通されて支持金具をパイプ状の設置箇所に結束する結束バンドとで構成されている、請求項１記載の鳥類等防除装置。
【請求項５】
電気絶縁材によって形成され、かつ設置箇所に間隔をおいて配置される複数の取付ベースと、金属管によって形成され、互いに一定の間隔をおいて並ぶように複数の取付ベースに掛け渡され、かつ一方に電圧が印加されるとともに他方が接地される１対の電極と、設置箇所に沿うようにのび、少なくとも２つの取付ベースが上面に固定されており、かつ設置箇所に着脱自在に取り付けられる少なくとも１つの保持プレートとを備えている、鳥類等防除装置。
【請求項６】
各電極が、複数本の金属管をジョイントで直列に接続してなり、ジョイントが、接続される２本の金属管の端部が両端開口のそれぞれから嵌め入れられるような内径を有しているとともに長さ中央部に括れ部を有している金属スリーブよりなる、請求項１〜５のいずれか１つに記載の鳥類等防除装置。
【請求項７】
各電極が、複数本の金属管をジョイントで直列に接続してなり、ジョイントが、接続される２本の金属管の端部に両端側部分のそれぞれが嵌め入れられるような外径を有しているとともに長さ中央部に径方向外向きの凸部を有している金属スリーブまたは金属ピンよりなる、請求項１〜５のいずれか１つに記載の鳥類等防除装置。
【考案の詳細な説明】
【技術分野】
【０００１】
この考案は、鳥類等の飛来・営巣等によって引き起こされる被害を防止するために、鳥類等に電気的衝撃を与えてこれらを追い払う鳥類等防除装置に関する。
【０００２】
この考案において、「鳥類等」には、鳥類の他、建造物や電力設備等への侵入により被害を及ぼすおそれのある動物であって電気的衝撃による忌避効果が期待できるもの、具体的には、例えば、ヘビ等の爬虫類や、イタチ、テン、ハクビシン等の哺乳類が含まれるものとする。
【背景技術】
【０００３】
例えば発電所、変電所等の高圧電気設備や、送電鉄塔、配電柱においては、カラス、ハト、ムクドリ、サギ、トビ、カワウ等の鳥類が飛来・営巣し、高圧充電部への接触によって、設備損壊や停電事故が発生するという問題があった。また、営巣した鳥類の雛や卵を捕食するために、ヘビ、イタチ、テン、ハクビシン等の小動物が送電鉄塔や配電柱に登って事故を引き起こす場合もあった。
【０００４】
これらの問題を解決するため、本出願人は、電気的衝撃を利用した鳥類等防除装置を先に提案した（下記の特許文献１参照）。この装置は、電気絶縁材によって形成され、かつ設置箇所に間隔をおいて配置固定される複数の取付ベースと、金属管によって形成され、互いに一定の間隔をおいて並ぶように複数の取付ベースに掛け渡され、かつ一方に電圧が印加されるとともに他方が接地される１対の電極とを備えてなる。設置箇所への取付ベースの固定は、たとえば設置箇所が平坦面である場合、接着により行われ、また、設置箇所が手摺等のパイプ状である場合、接着と紐等による結束との併用により行われる。
【先行技術文献】
【特許文献】
【０００５】
【特許文献１】登録実用新案第３１２６８４２号公報
【考案の概要】
【考案が解決しようとする課題】
【０００６】
ここで、例えば、ムクドリは、特定の箇所に飛来・営巣した後、比較的短期間で移動する習性があり、そのような場合、同箇所に設置した鳥類等防除装置も不要となる。
しかしながら、上述した従来の鳥類等防除装置は、所定の設置個所に接着などによって恒久的に取り付けられることを前提とするものであるため、装置の取り外しや分解が容易でなく、また、一旦取り外した後は、装置各部が破損して再使用することができなくなる場合があり、廃棄せざるをえなかった。
【０００７】
この考案の目的は、上記問題を解決し、装置の取り外しや分解が容易であって、設置箇所を変更して繰り返し再使用することが可能な鳥類等防除装置を提供することにある。
【課題を解決するための手段】
【０００８】
この考案は、上記の目的を達成するために、以下の態様からなる。
【０００９】
１）電気絶縁材によって形成され、かつ設置箇所に間隔をおいて配置される複数の取付ベースと、金属管によって形成され、互いに一定の間隔をおいて並ぶように複数の取付ベースに掛け渡され、かつ一方に電圧が印加されるとともに他方が接地される１対の電極と、各取付ベースを設置箇所に着脱自在に取り付けるための着脱式取付手段とを備えている、鳥類等防除装置。
【００１０】
２）着脱式取付手段が、片面が取付ベースの底部に固定され、かつ他面が強磁性金属製の設置箇所に吸着される磁石よりなる、上記１）の鳥類等防除装置。
【００１１】
３）着脱式取付手段が、外面の一部が取付ベースの底部に固定され、かつ設置箇所に締付固定されるクランプよりなる、上記１）の鳥類等防除装置。
【００１２】
４）着脱式取付手段が、取付ベースの底部に固定される頂壁部、および頂壁部の両端から下方にのびかつパイプ状の設置箇所の上部にまたがって載せられる1対の脚部を有し、各脚部にバンド挿通孔が形成されている逆Ｕ形の支持金具と、支持金具の両脚部のバンド挿通孔に通されて支持金具をパイプ状の設置箇所に結束する結束バンドとで構成されている、上記１）の鳥類等防除装置。
【００１３】
５）電気絶縁材によって形成され、かつ設置箇所に間隔をおいて配置される複数の取付ベースと、金属管によって形成され、互いに一定の間隔をおいて並ぶように複数の取付ベースに掛け渡され、かつ一方に電圧が印加されるとともに他方が接地される１対の電極と、設置箇所に沿うようにのび、少なくとも２つの取付ベースが上面に固定されており、かつ設置箇所に着脱自在に取り付けられる少なくとも１つの保持プレートとを備えている、鳥類等防除装置。
【００１４】
６）各電極が、複数本の金属管をジョイントで直列に接続してなり、ジョイントが、接続される２本の金属管の端部が両端開口のそれぞれから嵌め入れられるような内径を有しているとともに長さ中央部に括れ部を有している金属スリーブよりなる、上記１）〜５）のいずれか１つの鳥類等防除装置。
【００１５】
７）各電極が、複数本の金属管をジョイントで直列に接続してなり、ジョイントが、接続される２本の金属管の端部に両端側部分のそれぞれが嵌め入れられるような外径を有しているとともに長さ中央部に径方向外向きの凸部を有している金属スリーブまたは金属ピンよりなる、上記１）〜５）のいずれか１つの鳥類等防除装置。
【考案の効果】
【００１６】
上記１）の鳥類等防除装置によれば、各取付ベースが着脱式取付手段によって設置箇所に着脱自在に取り付けられるので、例えば設置箇所を変えたい場合でも、容易に取り外して再使用することができる。
【００１７】
上記２）の鳥類等防除装置によれば、着脱式取付手段である磁石によって、各取付ベースを、強磁性金属製の設置箇所、具体的には、例えば、あらゆる鉄製の構造物に簡単に取り付けることができ、また、その取り外しも部品の破損を伴うことなく容易に行いうる。
【００１８】
上記３）の鳥類等防除装置によれば、着脱式取付手段であるクランプによって、各取付ベースを、例えばアングル材、Ｈ型鋼材または板材よりなる設置箇所に簡単にかつ強固に取り付けることができ、また、その取り外しも部品の破損を伴うことなく容易に行いうる。
【００１９】
上記４）の鳥類等防除装置によれば、着脱式取付手段である逆Ｕ形の支持金具および結束バンドによって、各取付ベースを、例えば手摺のようなパイプ状の設置箇所に簡単に取り付けることができ、また、その取り外しも結束バンド以外の部品の破損を伴わずに容易に行いうる。
【００２０】
上記５）の鳥類等防除装置によれば、２つ以上の取付ベースが１つの保持プレートに固定されてユニット化され、各ユニットの保持プレートが設置箇所に着脱自在に取り付けられるので、例えば設置箇所を変えたい場合でも、容易に取り外して再使用することができる上、ユニット単位での着脱となるため、その作業効率が向上する。
【００２１】
上記６）の鳥類等防除装置によれば、各電極を構成する複数本の金属管どうしの直列接続に用いられるジョイントが、接続される２本の金属管の端部が両端開口のそれぞれから嵌め入れられるような内径を有しているとともに長さ中央部に括れ部を有している金属スリーブよりなるので、金属管の接続および分離の作業を容易にかつ確実に行うことができる。
【００２２】
上記７）の鳥類等防除装置によれば、各電極を構成する複数本の金属管どうしの直列接続に用いられるジョイントが、接続される２本の金属管の端部に両端側部分のそれぞれが嵌め入れられるような外径を有しているとともに長さ中央部に径方向外向きの凸部を有している金属スリーブまたは金属ピンよりなるので、金属管の接続および分離の作業を容易にかつ確実に行うことができる。
【図面の簡単な説明】
【００２３】
【図１】この考案の第１の実施形態に係る鳥類等防除装置を示すものであって、（ａ）は側面図、（ｂ）は平面図である。
【図２】図１のII−II線に沿う拡大垂直断面図である。
【図３】電極を構成する金属管どうしのジョイントによる接続構造を示したものであって、（ａ）は接続する前の状態の側面図、（ｂ）は接続した状態の側面図、（ｃ）はジョイントを金属管に圧着固定した場合の側面図である。
【図４】同ジョイントを示したものであって、（ａ）は側面図、（ｂ）は平面図である。
【図５】ジョイントの変形例を示すものであって、（ａ）は接続する前の状態の側面図、（ｂ）は接続した状態の側面図である。
【図６】電極を構成する金属管と接続ケーブルとのジョイントによる接続構造を示したものであって、（ａ）は接続する前の状態の側面図、（ｂ）は接続した状態の側面図である。
【図７】この考案の第２の実施形態に係る鳥類等防除装置を示す側面図である。
【図８】図７のVIII−VIII線に沿う拡大垂直断面図である。
【図９】この考案の第３の実施形態に係る鳥類等防除装置を示す側面図である。
【図１０】図９のX−X線に沿う拡大垂直断面図である。
【図１１】この考案の第４の実施形態に係る鳥類等防除装置を示す側面図である。
【図１２】図１１のXII−XII線に沿う拡大垂直断面図である。
【図１３】この考案の第５の実施形態に係る鳥類等防除装置を示すものであって、保持プレートを設置箇所である送電鉄塔のアングル鋼材製の横架材の水平壁部に取り付けた状態の側面図である。
【図１４】図１３のXIV−XIV線に沿う拡大垂直断面図である。
【図１５】第５の実施形態に係る鳥類等防除装置の保持プレートを設置箇所である木材製の梁等の建築材に取り付けた状態の側面図である。
【図１６】図１５のXVI−XVI線に沿う拡大垂直断面図である。
【考案を実施するための形態】
【００２４】
以下、この考案の実施形態を、図面を参照して説明する。
【００２５】
［第１の実施形態］
図１および図２は、この考案の第１の実施形態を示すものである。これらの図に示す通り、第1の実施形態の鳥類等防除装置(1A)は、電気絶縁材によって形成され、かつ強磁性金属製の設置箇所(61)に間隔をおいて配置される複数の取付ベース(2)と、金属管(30)によって形成され、互いに一定の間隔をおいて並ぶように複数の取付ベース(2)に掛け渡され、かつ一方に電圧が印加されるとともに他方が接地される１対の電極(3)と、片面が取付ベース(2)の底部に固定され、かつ他面が強磁性金属製の設置箇所(61)に吸着される磁石(4A)（着脱式取付手段）とを備えている。
【００２６】
強磁性金属製の設置箇所としては、例えば、図１，２に示すような倒立Ｌ形の横断面を有するアングル鋼材によって構成された送電鉄塔の横架材(6A)の水平壁部(61)が挙げられる。但し、この実施形態の装置(1A)の設置箇所は、上記に限らず、例えば、あらゆる鉄製の構造物に適用可能である。
【００２７】
図２に詳しく示すように、各取付ベース(2)は、台部(21)と、台部(21)から上方にのびかつ各電極(3)を挿通させる水平貫通孔(23)を有する１対の立上り部(22)とよりなる。
台部(21)は、横断面円形であって、その高さ中間部に環状の括れ部を有している。各立上り部(22)は、台部(21)上面の一直径上における対称位置のそれぞれから上方にのびる垂直部分と、垂直部分の先端から前記台部(21)上面の一直径に沿って内方にのびる内方突出部分とよりなり、水平貫通孔(23)が、各立上り部(22)における垂直部分の先端から内方突出部分にまたがる領域に形成されている。
取付ベース(2)の材料は、電気絶縁性を有するものであれば特に限定されないが、好適には、比較的製造が容易であってコストが安くつくＡＢＳ樹脂等の合成樹脂が用いられ、通常、射出成形等によって全体が一体に成形される。
【００２８】
磁石(4A)は、円板状の永久磁石であって、取付ベース(2)の台部(21)の底面に接着剤によって接着されているとともに、タッピングネジ（図示略）によって台部(21)の底面にネジ止めされている。この永久磁石としては、フェライト磁石またはネオジウム磁石が挙げられる。
【００２９】
各電極(3)は、複数本の金属管(30)を、ジョイント(31)により直列に接続してなる。金属管(30)どうしの接続は、取付ベース(2)の水平貫通孔(23)に挿通されている部分を避けて行われる。金属管(30)は、基本的に直管状のものが用いられるが、例えばコーナー部分に設置する場合には、その角度に応じて折り曲げられた屈曲管状のものを併用することができる。
【００３０】
電極(3)を構成する金属管(30)としては、例えばアルミニウム管や銅管、ステンレス鋼管が挙げられる。金属管(30)のサイズは、特に限定されないが、通常、外径３ｍｍ程度、長さ１０００ｍｍ程度のものが用いられる。
【００３１】
ジョイント(31)は、図４に示すように、接続される２本の金属管(30)の端部が両端開口のそれぞれから嵌め入れられるような内径(L1)を有しているとともに長さ中央部に括れ部(312)を有している金属スリーブ(31)よりなる。
つまり、金属スリーブ(31)の両端側部分のそれぞれが、金属管(30)の外径とほぼ等しい内径(L1)（通常３ｍｍ程度）を有する嵌入部(311)となされている。
金属スリーブ(30)の外径(L2)は、例えば内径(L1)が３ｍｍ程度である場合、４ｍｍ程度となされる。また、金属スリーブ(30)の長さ(D)は、特に限定されないが、通常３０ｍｍ程度である。
金属スリーブ(31)における両嵌入部(311)どうしの間の括れ部(312)は、円筒状の金属スリーブの長さ中央部を例えば圧着工具を用いて圧潰することにより形成されたものであって、金属管(30)の外径よりも小さい内径を有している。
従って、接続すべき２本の金属管(30)の各端部を、その先端が金属スリーブ(31)の括れ部(312)に当接するまで嵌入部(311)に嵌め入れることにより、金属管(30)どうしの接続が確実に行われる（図３（ａ）（ｂ）参照）。
また、上記操作と逆に、各電極(3)を構成している複数本の金属管(30)の端部をジョイント（金属スリーブ）(31)の嵌入部(311)から引き抜くだけで、各電極(3)を簡単に分解することができ、再接続も可能となる。
なお、例えば鳥類等防除装置を恒久的に設置する場合のように各電極(3)を分解して再接続する必要がないときには、図３（ｃ）に示すように、金属スリーブ(30)の両嵌入部(311)と、これらに嵌め入れられた金属管(30)の端部とを、圧着工具を用いて圧着固定してもよく、それによって両者をより強固に接続することができる。
【００３２】
図５は、ジョイントの変形例を示すものである。図示のジョイント(32)は、接続される２本の金属管(30)の端部に両端側部分のそれぞれが嵌め入れられるような外径(L3)を有しているとともに、長さ中央部に径方向外向きの凸部(322)を有している金属スリーブ(32)または金属ピンよりなる。
つまり、金属スリーブ(32)または金属ピンの両端側部分のそれぞれが、金属管(30)の内径とほぼ等しい外径(L3)（通常２ｍｍ程度）を有する被嵌入部(321)となされている。
金属スリーブ(32)または金属ピンにおける両被嵌入部(311)どうしの間の凸部(322)は、例えば円筒状の金属スリーブまたは金属ピンの長さ中央部に金属リングを嵌めて溶接や接着等によって接合することにより形成されたものであって、金属管(30)の内径よりも大きい外径を有している。
従って、接続すべき２本の金属管(30)の端部に、金属スリーブ(32)または金属ピンの両被嵌入部(321)を、各金属管(30)の先端面が金属スリーブ(31)または金属ピンの凸部(322)に当接するまで嵌め入れることにより、金属管(30)どうしの接続が確実に行われる（図５（ａ）（ｂ）参照）。
また、上記操作と逆に、各電極(3)を構成している複数本の金属管(30)の端部から、ジョイント（金属スリーブまたは金属ピン）(32)の被嵌入部(321)を引き抜くだけで、各電極(3)を簡単に分解することができ、金属管(30)どうしの再接続も可能となる。
図示は省略したが、金属管(30)どうしの再接続が不要な場合は、金属スリーブ(32)または金属ピンの両被嵌入部(321)と、これらが嵌め入れられている金属管(30)の端部とを、圧着工具を用いて圧着固定してもよい。
【００３３】
両電極(3)の一端は、接続ケーブル(34)を介して、電圧可変装置を備えた電源装置（図示略）に接続されており、好適には１５００Ｖ以上の高圧パルス電圧が一方の電極(3)に印加されるとともに、他方の電極(3)が接地されるようになっている。そして、飛来した鳥類の趾等が設置箇所(61)に設置された本装置(1A)における２つの電極(3)にまたがるように触れると、鳥類等に電気的衝撃が与えられ、これにより鳥類等が追い払われる。この際、鳥類等の体に流れる電流は、電圧は高いものの、約２０μｓｅｃ程度の瞬間放電であって、微少電流であるため、鳥類等に対して傷や火傷等の損傷を与えることはない。電気的衝撃を受けた鳥類等は、学習により設置箇所(61)に近づかないようになる。
図６に示すように、各電極(3)の一端部は、ジョイント(33)により、接続ケーブル(34)に接続されている。ジョイント(33)は、金属管(30)どうしの接続に用いられているジョイント(31)とほぼ同一構造の金属スリーブよりなる。
すなわち、同金属スリーブ(33)は、両端側部分が嵌入部(331)となされているとともに、中央部に括れ部(332)が設けられているものである。
金属スリーブ(33)の一方の嵌入部(331)には、接続ケーブル(34)の一端部において熱収縮チューブ(341)から露出させられたネオン線(342)がその内芯を二つ折りした状態で嵌め入れられているとともに、両者が圧着工具により圧着固定されている。また、軟質樹脂製の保護キャップ(35)が、接続ケーブル(34)の一端部から金属スリーブ(33)の一方の嵌入部(331)にまたがるように嵌め被せられている。
金属スリーブ(33)の他方の嵌入部(331)には、電極(3)を構成している金属管(30)の一端部が嵌め入れられている。
以上の構成により、電極(3)の金属管(30)と接続ケーブル(34)との接続が、ジョイント（金属スリーブ）(33)を介して簡単に行われるようになっており、また、両者(30)(34)の分離も金属管(30)の一端部をジョイント(33)の嵌入部(331)から引き抜くだけで簡単に行うことができ、再接続が可能となる。
また、図示は省略したが、金属管(30)および接続ケーブル(34)の再接続が不要な場合、金属スリーブ(33)の嵌入部(331)と、これに嵌め入れられた金属管(30)の一端部とを、圧着工具を用いて圧着固定してもよい。
【００３４】
この実施形態の鳥類等防除装置(1A)によれば、着脱式取付手段である磁石(4A)によって、各取付ベース(2)を、設置箇所である送電鉄塔のアングル鋼材製の横架材(6A)の水平壁部(61)に簡単に取り付けることができ、また、その取り外しも部品の破損を伴うことなく容易に行うことができるので、設置箇所を変えて繰り返し再使用することが可能である。
また、同装置(1A)によれば、各電極(3)を構成する複数本の金属管(30)どうしが、括れ部(312)を有する前記金属スリーブ(31)または凸部(322)を有する前記金属スリーブ(32)もしくは金属ピンよりなるジョイントによって接続されているで、金属管(30)の接続および分離の作業を容易にかつ確実に行うことができ、電極(3)の再使用が可能となる。
【００３５】
［第２の実施形態］
図７および図８は、この考案の第２の実施形態を示すものである。この実施形態の鳥類等防除装置(1B)は、以下の点を除いて、図１および図２に示す第１の実施形態の鳥類等防除装置(1A)と実質的に同じである。すなわち、同装置(1B)は、各取付ベース(2)を設置箇所(62)に取り付けるための着脱式取付手段として、外面の一部が取付ベース(2)の底部に固定されかつ設置箇所(62)に締付固定されるクランプ(4B)を備えている。
設置箇所としては、例えば、図７，８に示すようなＬ形の横断面を有するアングル材によって構成された送電鉄塔の横架材(6B)の垂直壁部(62)が挙げられる。但し、この実施形態の装置(1B)の設置箇所は、上記に限らず、例えば、Ｈ形鋼材や他の板材よりなる構造物にも適用可能である。
【００３６】
クランプ(4B)は、取付ベース(2)の底部に固定される頂壁部(411)、および頂壁部(411)の両端から下方にのびる１対の垂下壁部(412)を有し、かつ横架材(6B)の垂直壁部(62)の上部にまたがるように配置される逆Ｕ形のクランプ本体(41)と、クランプ本体(41)の一方の垂下壁部(412)に水平貫通状に形成されたネジ孔（図示略）に外側からねじ込まれてその先端で横架材(6B)の垂直壁部(62)を他方の垂下壁部(412)の内側面に押し付ける締付ボルト(42)とを備えている。
クランプ本体(41)の頂壁部(411)は、取付ベース(2)の台部(21)の底面に接着剤によって接着されているとともに、タッピングネジ（図示略）によって台部(21)の底面にネジ止めされている。
クランプ本体(41)の他方の垂下壁部(412)の内側面には、滑り止め用の凹凸部(412a)が形成されている。
【００３７】
この実施形態の鳥類等防除装置(1B)によれば、各取付ベース(2)が、クランプ(4B)によって、設置箇所である配電鉄塔のアングル材製の横架材(6B)の垂直壁部(62)に簡単にかつ強固に取り付けられ、また、その取り外しも部品の破損を伴うことなく容易に行いうるので、設置箇所を変更して繰り返し再使用することが可能となる。
【００３８】
［第３の実施形態］
図９および図１０は、この考案の第３の実施形態を示すものである。この実施形態の鳥類等防除装置(1C)は、以下の点を除いて、図１および図２に示す第１の実施形態の鳥類等防除装置(1A)と実質的に同じである。すなわち、同装置(1C)は、各取付ベース(2)を設置箇所(63)に取り付けるための着脱式取付手段として、外面の一部が取付ベース(2)の底部に固定されかつ設置箇所(63)に締付固定されるクランプ(4C)を備えている。
【００３９】
設置箇所としては、例えば、図９，１０に示すような倒立Ｌ形の横断面を有するアングル材によって構成された送電鉄塔の横架材(6C)の水平壁部(63)が挙げられる。但し、この実施形態の装置(1C)の設置箇所は、上記に限らず、例えば、Ｈ形鋼材や他の板材よりなる構造物にも適用可能である。
【００４０】
クランプ(4C)は、取付ベース(2)の底部に固定される上位の水平壁部(432)、上位の水平壁部(432)の一端から下方にのびる垂直壁部(431)、および垂直壁部(431)の下端から上位の水平壁部(432)と向かい合って平行にのびる下位の水平壁部(432)を有し、かつ横架材(6C)の水平壁部(63)の先端側部分を挟むように配置されるコ字形のクランプ本体(43)と、クランプ本体(43)の下位の水平壁部(432)に垂直貫通状に形成されたネジ孔（図示略）に下方からねじ込まれてその先端で横架材(6C)の水平壁部(63)を上位の水平壁部(432)の内側面に押し付ける締付ボルト(44)とを備えている。
クランプ本体(43)の上位の水平壁部(432)は、取付ベース(2)の台部(21)の底面に接着剤によって接着されているとともに、タッピングネジ（図示略）によって台部(21)の底面にネジ止めされている。
クランプ本体(43)の下位の水平壁部(432)の内側面（下面）には、滑り止め用の凹凸部(432a)が形成されている。
【００４１】
この実施形態の鳥類等防除装置(1C)によれば、各取付ベース(2)が、クランプ(4C)によって、設置箇所である配電鉄塔のアングル材製の横架材(6C)の水平壁部(63)に簡単にかつ強固に取り付けられ、また、その取り外しも部品の破損を伴うことなく容易に行いうるので、設置箇所を変えて繰り返し再使用することが可能となる。
【００４２】
［第４の実施形態］
図１１および図１２は、この考案の第４の実施形態を示すものである。この実施形態の鳥類等防除装置(1D)は、以下の点を除いて、図１および図２に示す第１の実施形態の鳥類等防除装置(1A)と実質的に同じである。すなわち、同装置(1D)は、各取付ベース(2)をパイプ状の設置箇所(6D)に取り付けるための着脱式取付手段(4D)として、支持金具(45)および結束バンド(46)を備えている。
【００４３】
パイプ状の設置箇所としては、例えば、横断面円形の鉄製パイプによって構成された建物の屋上の手摺(6D)が挙げられるが、これに限らず、あらゆるパイプ状の構造物に本装置(1D)を適用することが可能である。
【００４４】
支持金具(45)は、取付ベース(2)の底部に固定される頂壁部(451)、および頂壁部(451)の両端から下方にのびかつ手摺(6D)の上部にまたがって載せられる１対の脚部(452)を有している逆Ｕ形のものである。各脚部(452)には、横長のバンド挿通孔(452a)が形成されている。
支持金具(45)の頂壁部(451)は、取付ベース(2)の台部(21)の底面に接着剤によって接着されているとともに、タッピングネジ(47)によって台部(21)の底面にネジ止めされている。
【００４５】
結束バンド(46)は、可撓性を有する合成樹脂製のものであって、支持金具(45)の両脚部(452)のバンド挿通孔(452a)に通されて、手摺(6D)に約１周巻かれた状態で、それ自身に備えられたロック機構によって固定されることにより、支持金具(45)を手摺(6D)に結束している。
【００４６】
この実施形態の鳥類等防除装置(1D)によれば、各取付ベース(2)が、支持金具(45)および結束バンド(46)によって、設置箇所である建物の屋上の手摺(6D)に簡単に取り付けられ、また、その取り外しも、結束バンド(46)以外の部品の破損を伴うことなく容易に行いうるので、設置箇所を変えて繰り返し再使用することが可能となる。
【００４７】
［第５の実施形態］
図１３および図１４は、この考案の第５の実施形態を示すものである。この実施形態の鳥類等防除装置(1E)は、電気絶縁材によって形成され、かつ設置箇所(6E)に間隔をおいて配置される複数の取付ベース(2)と、金属管(30)によって形成され、互いに一定の間隔をおいて並ぶように複数の取付ベース(2)に掛け渡され、かつ一方に電圧が印加されるとともに他方が接地される１対の電極(3)と、設置箇所(61)に沿うようにのび、少なくとも２つの取付ベース(2)が上面に固定されており、かつ設置箇所(61)に着脱自在に取り付けられる少なくとも１つの保持プレート(5)とを備えている。
【００４８】
設置箇所としては、例えば、図１３，１４に示すような倒立Ｌ形の横断面を有するアングル材によって構成された送電鉄塔の横架材(6A)の水平壁部(61)が挙げられる。但し、この実施形態の装置(1E)の設置箇所は、上記に限らず、例えば、保持プレート(5)の取付が可能なあらゆる構造物に適用可能である。
【００４９】
取付ベース(2)および電極(3)は、図１および図２に示す第１の実施形態の鳥類等防除装置(1A)のそれらと実質的に同じであるので、詳しい説明は省略する。
【００５０】
保持プレート(5)は、例えばアルミニウム板等の金属板、ポリ塩化ビニル樹脂板等の合成樹脂板、または木材等によって構成された真っ直ぐな帯板状のものである。なお、設置箇所の形状によっては、保持プレートを、例えば湾曲帯板状や屈曲帯板状のものとしてもよい。
保持プレート(5)の長さは、通常３００〜１０００ｍｍ程度となされる。保持プレート(5)の幅は、取付ベース(2)の台部(21)の直径とほぼ同等かそれよりやや大きいものとなされ、通常３０ｍｍ程度である。
保持プレート(5)の上面に固定する取付ベース(2)の数および配置については、数が２つ以上であれば特に限定されず、取扱性や強度、電極の撓み等を考慮して適宜設定される。例えば、図１３では、２つの取付ベース(2)が保持プレート(5)の両端部の上面に配置されている。
各取付ベース(2)は、その台部(21)の底面が、接着剤によって保持プレート(5)の上面に接着されているとともに、タッピングネジ（図示略）によって保持プレート(5)にネジ止めされている。
保持プレート(5)は、設置箇所である送電鉄塔のアングル材製の横架材(6A)の水平壁部(61)上に載置されて、複数本の結束バンド(7)により、同水平壁部(61)に結束固定されている。
【００５１】
この実施形態の鳥類等防除装置(1E)によれば、２つ以上の取付ベース(2)が１つの保持プレート(5)に固定されてユニット化され、各ユニットの保持プレート(5)が設置箇所である送電鉄塔の横架材(6A)の水平壁部(61)に着脱自在に取り付けられるので、例えば設置箇所を変えたい場合でも、容易に取り外して再使用することができる上、ユニット単位での着脱となるため、その作業効率が向上する。
【００５２】
図１５および図１６は、第５の実施形態に係る鳥類等防除装置(1E)の保持プレート(5)を、横断面略方形の木材よりなる梁等の建築材(6E)等の設置箇所に取り付けた状態を示すものである。
図示の通り、保持プレート(5)は、梁等の建築材(6E)上に載置されて、複数本の木ネジ(8)により梁等の建築材(6E)にネジ止めされている。
【産業上の利用可能性】
【００５３】
この考案は、例えば、発電所、変電所等の高圧電気設備や、送電鉄塔、配電柱において、鳥類等に電気的衝撃を与えてこれらを追い払う鳥類等防除装置として好適に使用することができる。
【符号の説明】
【００５４】
(1A)(1B)(1C)(1D)(1E)：鳥類等防除装置
(2)：取付ベース
(3)：電極
(30)：金属管
(31)：金属スリーブ（ジョイント）
(312)：括れ部
(32)：金属スリーブまたは金属ピン（ジョイント）
(322)：凸部
(4A)：磁石（着脱式取付手段）
(4B)(4C)：クランプ（着脱式取付手段）
(4D)：着脱式取付手段
(45)：支持金具
(451)：頂壁部
(452)：脚部
(452a)：バンド挿通孔
(46)：結束バンド
(5)：保持プレート
(6A)：送電鉄塔のアングル鋼材製の横架材
(61)：水平壁部（設置箇所）
(6B)：送電鉄塔のアングル材製の横架材
(62)：垂直壁部（設置箇所）
(6C)：送電鉄塔のアングル材製の横架材
(63)：水平壁部（設置箇所）
(6D)：建物の屋上の手摺（設置箇所）
(6E)：梁等の建築材（設置箇所）
【図１】
0003210518.tif 000003
【図２】
0003210518.tif 000004
【図３】
0003210518.tif 000005
【図４】
0003210518.tif 000006
【図５】
0003210518.tif 000007
【図６】
0003210518.tif 000008
【図７】
0003210518.tif 000009
【図８】
0003210518.tif 000010
【図９】
0003210518.tif 000011
【図１０】
0003210518.tif 000012
【図１１】
0003210518.tif 000013
【図１２】
0003210518.tif 000014
【図１３】
0003210518.tif 000015
【図１４】
0003210518.tif 000016
【図１５】
0003210518.tif 000017
【図１６】
0003210518.tif 000018